(57)【要約】【課題】計数機から排出される大量の遊技球を、動力式の回収路に過大な負荷をかけることなく円滑に合流させることのできる遊技機島を提供する。【解決手段】遊技機から排出された遊技球を受け入れて遊技機島の長手方向に沿って搬送する動力駆動されるベルトコンベア式の搬送路３３に対向して遊技球の直径約１．５個分を空けて天井部３７ａを配置する。天井部３７ａの上方には計数機からの遊技球を受け入れて貯留する第１貯留部５０が設けられ、その底部には直径が遊技球の１．５倍の球落下口４１があり、球落下口４１から落下した遊技球は天井部３７ａの端縁から案内路４４へ流入し、搬送路３３の路面との間へ搬送路の側方から排出されて搬送路３３上の遊技球と合流する。【選択図】図８
2011067322.tif 000002
【特許請求の範囲】
【請求項１】
遊技球を使用した遊技が行われる複数の遊技機を併設収容すると共に遊技者が保有する遊技球が投入されて該遊技球を計数する計数機が設置された遊技機島において、
前記遊技機から排出された遊技球を受け入れて該遊技機島の長手方向に沿って搬送する動力式の搬送路と、
前記搬送路の路面に対向配置された天井部と、
前記計数機から排出された遊技球を前記搬送路の側方から前記路面と前記天井部との間へ排出する球排出口を備えた案内路と、
を有する
ことを特徴とする遊技機島。
【請求項２】
前記案内路は、前記搬送路の側方に設けられた縦経路を有し、
前記球排出口は前記縦経路の下端の側部に設けられている
ことを特徴とする請求項１に記載の遊技機島。
【請求項３】
前記計数機が遊技球を排出する計数機排出口と前記案内路との間に、前記計数機排出口から排出された遊技球を受け入れて貯留する貯留部を設けた
ことを特徴とする請求項１または２に記載の遊技機島。
【請求項４】
前記貯留部は、前記搬送路の上方に設けられた第１貯留部と、前記遊技機が載置される天板の下方に配置され、前記第１貯留部と連通した第２貯留部とを備える
ことを特徴とする請求項３に記載の遊技機島。
【請求項５】
前記案内路と前記貯留部との間に、遊技球を１個は通すが２個は同時に通り得ない形状の球落下口が複数形成されたフィルタ部材を配置した
ことを特徴とする請求項３または４に記載の遊技機島。
【請求項６】
前記貯留部は、前記搬送路の上方に設けられて前記天井部の上に遊技球を排出し、
前記案内路は、前記天井部の側縁から遊技球を受け入れる
ことを特徴とする請求項３乃至５のいずれか一項に記載の遊技機島。
【請求項７】
前記貯留部の底部は、遊技球を１個は通すが２個は同時に通り得ない形状の球落下口が複数形成されたフィルタ部材により構成され、
前記貯留部は、前記搬送路の上方に設けられて前記天井部の上に前記球落下口を通じて遊技球を排出し、
前記案内路は、前記天井部の側縁から遊技球を受け入れ、
前記球落下口は、搬送方向に沿った近接する２列でかつ交互に並ぶように配列されている
ことを特徴とする請求項３または４に記載の遊技機島。
【請求項８】
前記底部は、前記２列の中央に向けて下り勾配を有する
ことを特徴とする請求項７に記載の遊技機島。
【請求項９】
底面と両側壁を有して上部が開放され且つ前記遊技機島の長手方向に沿って延びる回収樋の内側底部に前記搬送路の路面は設けられており、
前記回収樋の上端部に該回収樋の上面を覆う樋カバーを載置し、
前記樋カバーは、前記貯留部の底部をなして前記球落下口が形成された前記フィルタ部材であり、
前記天井部は、載置された前記樋カバーと前記路面との間に前記路面と対向して設けられており、
前記案内路は、前記天井部の側縁と前記回収樋の側壁との間から前記回収樋の側壁に沿って遊技球を下方に案内した後、前記路面の側方から該路面上へ遊技球を排出するように形成されている
ことを特徴とする請求項５を引用する請求項６、または請求項７、８のいずれか一項に記載の遊技機島。
【請求項１０】
前記樋カバーは、前記回収樋の長手方向に複数枚並べて載置されると共に、その上面と下面の少なくとも一方に突起部を有し、前記突起部は、樋カバーが浮き上がり位置ずれして樋カバー同士が重なった場合に該重なった一方の樋カバーの球落下口と他方の樋カバーの突起部とが係合するようにされている
ことを特徴とする請求項９に記載の遊技機島。
【請求項１１】
前記天井部が前記貯留部の底部を成しており、
前記案内路は、前記天井部の側縁に設けられた開口から排出される遊技球を受け入れる
ことを特徴とする請求項３または４に記載の遊技機島。
【請求項１２】
前記計数機は、遊技機毎に設けられており、
前記案内路および前記天井部は、前記搬送路に沿って延設されている
ことを特徴とする請求項１または２に記載の遊技機島。
【請求項１３】
前記計数機は、遊技機毎に設けられており、
前記案内路および前記天井部および前記貯留部は、前記搬送路に沿って延設されている
ことを特徴とする請求項３乃至１１のいずれか一項に記載の遊技機島。
【請求項１４】
前記案内路は、前記搬送路の搬送方向と直交する断面において遊技球を一列に整列させて前記球排出口から排出する
ことを特徴とする請求項１乃至１３のいずれか一項に記載の遊技機島。
【請求項１５】
前記球排出口の下縁が、前記搬送路の路面に対して段差を付けて高くされている
ことを特徴とする請求項１乃至１４のいずれか一項に記載の遊技機島。
【発明の詳細な説明】
【技術分野】
【０００１】
本発明は、遊技球を使用した遊技が行われる複数の遊技機および遊技者が保有する遊技球が投入されてこれを計数する計数機が設置された遊技機島に関する。
【背景技術】
【０００２】
パチンコ機などの遊技機を複数併設収容する遊技機島では、各遊技機から排出されるアウト球を回収し、揚送研磨して再び遊技機や球貸機に供給することで、遊技球を遊技機島の中で循環させて繰り返し使用するようになっている。各遊技機の下部背面から排出されるアウト球は、通常、遊技機島の下部に該遊技機島の長手方向に沿って設置された回収路によって受け止められ、該回収路を通じて揚送研磨装置等へ搬送される。
【０００３】
さらに遊技機島には、遊技者が保有する景品球などの遊技球が投入されてその数を計数する計数機が設置されている。計数機は、遊技機島の端部や中央などに設置されていたが、近年は、計数機まで遊技球を運ぶ手間を無くすべく、遊技機毎に計数機を設けた遊技機島がある。かかる遊技機島では一般に、各計数機から排出された遊技球を上記の回収路に合流されて回収している。
【０００４】
計数機からは一度に大量の遊技球が排出されることが多いので、大量の遊技球の合流により回収路上の遊技球の流れが妨げられたり、遊技球同士の衝突によって大きな騒音が発生したりするなどの問題が生じる。そこで、たとえば、計数機から排出されるパチンコ球の流下方向をアウト球回収樋上のパチンコ球の流下方向と略同一方向に変換する変流機構を設け、該変流機構によって流下方向を変換させてからアウト球回収樋上のパチンコ球に合流させることで、上方から真下へ落下等させる合流方式に比べて、合流の円滑化や騒音の低減を図るようにした遊技機島がある（たとえば、特許文献１参照。）。
【０００５】
また、計数機から大量の遊技球が一度に回収樋に合流することによる騒音や球詰まりなどの弊害を防止すべく、計数機の排出口とアウト球回収樋との間に、計数機の排出口から排出されたパチンコ球が貯留される球排出空間を形成した遊技機島がある（特許文献２参照。）。この遊技機島では、球排出空間に貯留されたパチンコ球をアウト球回収樋に排出するための排出開口部を設け、該排出開口部からのパチンコ球の排出量を、計数機の排出口からのパチンコ球の排出量より少なくなるように制限している（特許文献２参照。）。
【０００６】
また、遊技機を遊技機島の表面側と裏面側に互いの背面を対向させて配置する形式の遊技機島では、通常、これら背向する遊技機の間の下方に回収路を設け、該１つの回収路によって表裏の遊技機から排出されたアウト球を回収するように構成される。かかる遊技機島において各遊技機に計数機を設けた場合、計数機の計数排出口から排出される遊技球は回収路の両側方から流入することになり、それら遊技球が互いに衝突して騒音の原因になる。そこで、背向する計数機の計数排出口同士が対面し合わない位置で回収路に臨むようにすることで、衝突による騒音の低減や合流の円滑化を図るようにした遊技機島がある（たとえば、特許文献３参照。）。
【先行技術文献】
【特許文献】
【０００７】
【特許文献１】特開２００２−９１３号公報
【特許文献２】特開２００２−９１４号公報
【特許文献３】特開２００２−５８８５７号公報
【発明の概要】
【発明が解決しようとする課題】
【０００８】
従来の回収路の多くは、傾斜により遊技球を自然流下させる方式の回収樋であったが、近年は、モータでベルトコンベア等を駆動して遊技球を搬送する動力式のものがある。動力式の回収路の場合、モータの能力などから搬送可能な遊技球の量に限界がある。このため、計数機から大量の遊技球が回収路上に排出されると、搬送能力を超える過大な負荷が加わり、搬送が停止する、あるいは、モータが損傷するといった問題が生じ得る。
【０００９】
計数機の計数排出口から排出されるパチンコ球を変流機構で流下方向を変換させてから回収路上のパチンコ球に合流させる特許文献１に開示の方式、あるいは、背向する計数機の計数排出口同士が対面し合わない位置で回収路に臨むようにした特許文献３に開示の方式では、複数の計数機からパチンコ球が大量に排出された場合には、結局、回収路上に大量のパチンコ球が積載されることになり、動力式の回収路においては、上記した搬送停止やモータ損傷といった問題が生じる。また、回収路上を搬送されるパチンコ球と計数機から排出されるパチンコ球とが合流地点で勢い良く衝突して騒音が発生してしまう。
【００１０】
また、計数機の計数排出口とアウト球回収樋との間に、計数排出口から排出されたパチンコ球が貯留される球排出空間を形成して、球排出空間の排出開口部から排出されるパチンコ球の排出量を、計数排出口から排出されるパチンコ球の排出量よりも少なくする特許文献２に開示の方式では、計数機からパチンコ球が大量に排出された場合には、球排出空間内にパチンコ球を貯留しきれなくなり、球排出空間内に空きができるまでパチンコ球を計数することができず、計数が完了するまでに時間がかかり、遊技者を待たせてしまう。また。計数機のパチンコ球受入口から溢れ出たり計数機内部で球詰まりが生じたりする要因にもなる。
【００１１】
本発明は、上記の問題を解決しようとするものであり、計数機から排出される大量の遊技球を、動力式の回収路に過大な負荷をかけることなく円滑に合流させることのできる遊技機島を提供することを目的としている。また、計数機から排出される大量の遊技球を、動力式の回収路に過大な負荷をかけることなく貯留できかつその貯留している遊技球を回収路に円滑に合流させることのできる遊技機島を提供することを第２の目的としている。
【課題を解決するための手段】
【００１２】
かかる目的を達成するための本発明の要旨とするところは、次の各項の発明に存する。
【００１３】
［１］遊技球を使用した遊技が行われる複数の遊技機を併設収容すると共に遊技者が保有する遊技球が投入されて該遊技球を計数する計数機が設置された遊技機島において、
前記遊技機から排出された遊技球を受け入れて該遊技機島の長手方向に沿って搬送する動力式の搬送路と、
前記搬送路の路面に対向配置された天井部と、
前記計数機から排出された遊技球を前記搬送路の側方から前記路面と前記天井部との間へ排出する球排出口を備えた案内路と、
を有する
ことを特徴とする遊技機島。
【００１４】
上記発明では、搬送路上での遊技球の積載量は、搬送路の路面と天井部との間の空間サイズによって規制され、案内路は、計数機から排出された遊技球を搬送路の側方から路面と天井部との間へ排出する。搬送中の遊技球が多量で搬送路上に遊技球を受け入れる空間的余裕がない場合には、搬送中の遊技球が優先され、路面と天井部との間へ案内路から遊技球は流出できない。一方、搬送路上に遊技球を受け入れる空間的余裕がある場合は、路面と天井部との間へ案内路から遊技球が流出して合流する。案内路から排出して合流しようとする遊技球から搬送路上の遊技球に対して加わる圧力は搬送路の側方から加わるので、上方から圧力を受ける場合に比べて、搬送路に過大な負荷が加わることがなく、大量の遊技球が計数機から排出されても、円滑な搬送および合流が確保される。
【００１５】
［２］前記案内路は、前記搬送路の側方に設けられた縦経路を有し、
前記球排出口は前記縦経路の下端の側部に設けられている
ことを特徴とする［１］に記載の遊技機島。
【００１６】
上記発明では、遊技球は搬送路の側方に設けられた縦経路を通じて上方から下方へ落下した後、縦経路の下端で向きを変え、該縦経路の下端側部に設けられた球排出口から路面と天井部との間へ搬送路の側方から排出される。これにより、計数機から排出された遊技球の加重の大半は縦経路の下端に加わるようになり、球排出口から流出する遊技球が搬送路上の遊技球に加える圧力が軽減される。
【００１７】
［３］前記計数機が遊技球を排出する計数機排出口と前記案内路との間に、前記計数機排出口から排出された遊技球を受け入れて貯留する貯留部を設けた
ことを特徴とする［１］または［２］に記載の遊技機島。
【００１８】
上記発明では、計数機排出口と案内路との間に遊技球の貯留部が設けられる。貯留部に貯留されている遊技球は、遊技球からの圧力を軽減させる機能を備えた案内路を通じて搬送路上に合流されるので、大量の遊技球が貯留されてもその荷重によって搬送路に過大な力が加わることはない。特に天井部の上方を貯留部とすれば、搬送路の上方のスペースを有効利用することができる。
【００１９】
［４］前記貯留部は、前記搬送路の上方に設けられた第１貯留部と、前記遊技機が載置される天板の下方に配置され、前記第１貯留部と連通した第２貯留部とを備える
ことを特徴とする［３］に記載の遊技機島。
【００２０】
上記発明では、搬送路の上方の空間が第１貯留部として利用されると共に、天板の下方の空間が、第１貯留部に連通した第２貯留部として利用される。また、計数機が遊技機毎に遊技機の下部前方に配置されているような場合には、計数機から排出される遊技球を天板を通して第２貯留部で受け止めることができる。
【００２１】
［５］前記案内路と前記貯留部との間に、遊技球を１個は通すが２個は同時に通り得ない形状の球落下口が複数形成されたフィルタ部材を配置した
ことを特徴とする［３］または［４］に記載の遊技機島。
【００２２】
上記発明では、球落下口を通らない大きさのゴミなどがフィルタ部材によって排除されるので、大きなゴミ（たとえば、会員カードなど）が搬送路へ流入して故障を引き起こすといった事態が防止される。
【００２３】
［６］前記貯留部は、前記搬送路の上方に設けられて前記天井部の上に遊技球を排出し、
前記案内路は、前記天井部の側縁から遊技球を受け入れる
ことを特徴とする［３］乃至［５］のいずれか一項に記載の遊技機島。
【００２４】
上記発明では、貯留部から落下排出された遊技球は、天井部の上面で一旦受け止められた後、天井部の側縁まで天井部の上面を転動した後、案内路に流入する。したがって、案内路へ流入する時点では、貯留部から落下する遊技球の勢いや荷重による圧力は、天井部の上面で受け止め、および側縁への進行方向の転換によって、弱められる。
【００２５】
［７］前記貯留部の底部は、遊技球を１個は通すが２個は同時に通り得ない形状の球落下口が複数形成されたフィルタ部材により構成され、
前記貯留部は、前記搬送路の上方に設けられて前記天井部の上に前記球落下口を通じて遊技球を排出し、
前記案内路は、前記天井部の側縁から遊技球を受け入れ、
前記球落下口は、搬送方向に沿った近接する２列でかつ交互に並ぶように配列されている
ことを特徴とする［３］または［４］に記載の遊技機島。
【００２６】
上記発明では、球落下口を通らない大きさのゴミなどがフィルタ部材によって排除されるので、大きなゴミ（たとえば、会員カードなど）が搬送路へ流入して故障を引き起こすといった事態が防止される。また、球落下口は搬送方向に沿った近接する２列でかつ交互に並ぶように配列される。これにより、一方の列において隣り合う球落下口と球落下口の間を落下せずに通り過ぎた遊技球は他方の列の球落下口に入り、確実で円滑な落下が確保される。
【００２７】
［８］前記底部は、前記２列の中央に向けて下り勾配を有する
ことを特徴とする［７］に記載の遊技機島。
【００２８】
上記発明では、貯留部の底部の遊技球は、２列に配列された球落下口の該２列の中央に向けて流下し、いずれかの列の球落下口へ入るように案内される。
【００２９】
［９］底面と両側壁を有して上部が開放され且つ前記遊技機島の長手方向に沿って延びる回収樋の内側底部に前記搬送路の路面は設けられており、
前記回数樋の上端部に該回収樋の上面を覆う樋カバーを載置し、
前記樋カバーは、前記貯留部の底部をなして前記球落下口が形成された前記フィルタ部材であり、
前記天井部は、載置された前記樋カバーと前記路面との間に前記路面と対向して設けられており、
前記案内路は、前記天井部の側縁と前記回収樋の側壁との間から前記回収樋の側壁に沿って遊技球を下方に案内した後、前記路面の側方から該路面上へ遊技球を排出するように形成されている
ことを特徴とする［５］を引用する［６］、または［７］、［８］のいずれか一項に記載の遊技機島。
【００３０】
上記発明では、動力式の搬送路は回収樋の中に設けられ、回収樋の上面は樋カバーによって覆われる。樋カバーは貯留部の底部を成しており、該樋カバーには球落下口が設けられてフィルタ部材として機能する。樋カバーと回収樋底部にある搬送路の路面との間には、該路面に対向する天井部が設けられる。搬送路の路面および天井部の幅は回収樋の幅より狭くされており、天井部の側縁と回収樋の側壁内側との間には空間がある。案内路は、天井部の側縁と回収樋の側壁との間から流入する遊技球を該回収樋の側壁に沿って下方に案内した後、搬送路の路面の側方から該路面上へ遊技球を排出する。すなわち、天井部の側縁と回収樋の側壁内側との間から回収樋の側壁内側に沿って遊技球が流下する空間は案内路の縦経路を成しており、回収樋の底面のうち搬送路より外側の端部は、該縦経路の下端の突き当り部を成し、さらに搬送路の端縁と天井部との間の空間は、縦経路の下端に開設された球排出口として機能する。
【００３１】
［１０］前記樋カバーは、前記回収樋の長手方向に複数枚並べて載置されると共に、その上面と下面の少なくとも一方に突起部を有し、前記突起部は、樋カバーが浮き上がり位置ずれして樋カバー同士が重なった場合に該重なった一方の樋カバーの球落下口と他方の樋カバーの突起部とが係合するようにされている
ことを特徴とする［９］に記載の遊技機島。
【００３２】
上記発明では、球落下口から落下した球が天井部に滞留して樋カバーが浮き上がる状態となり、該浮き上がった樋カバーが遊技球の搬送方向に流されそうになって重なった場合には、一方の樋カバーの球落下口と他方の樋カバーの突起部とが係合するので、それ以上樋カバーが流されて位置ずれすることが防止される。
【００３３】
［１１］前記天井部が前記貯留部の底部を成しており、
前記案内路は、前記天井部の側縁に設けられた開口から排出される遊技球を受け入れる
ことを特徴とする［３］または［４］に記載の遊技機島。
【００３４】
上記発明では、搬送路の路面に対向配置された天井部は貯留部の底部を成しており、貯留部に貯留されている遊技球は天井部の側縁に設けられた開口から排出される。案内路は、天井部の側縁の開口から排出される遊技球を受け入れ、これを天井部と搬送路との間の空間へ搬送路の側方から案内して合流させる。
【００３５】
［１２］前記計数機は、遊技機毎に設けられており、
前記案内路および前記天井部は、前記搬送路に沿って延設されている
ことを特徴とする［１］または［２］に記載の遊技機島。
【００３６】
上記発明では、計数機は遊技機島の長手方向に沿って遊技機毎に配置される。搬送路は遊技機島の長手方向に沿って設けられており、該搬送路の路面に対向配置された天井部および、路面と天井部との間に搬送路の側方から遊技球を排出する案内路も、搬送路に沿って延設されている。
【００３７】
［１３］前記計数機は、遊技機毎に設けられており、
前記案内路および前記天井部および前記貯留部は、前記搬送路に沿って延設されている
ことを特徴とする［３］乃至［１１］のいずれか一項に記載の遊技機島。
【００３８】
上記発明では、計数機は遊技機島の長手方向に沿って遊技機毎に配置される。搬送路は遊技機島の長手方向に沿って設けられており、該搬送路の路面に対向配置された天井部および、路面と天井部との間に搬送路の側方から遊技球を排出する案内路、さらに遊技球の貯留部も、搬送路に沿って延設されている。
【００３９】
［１４］前記案内路は、前記搬送路の搬送方向と直交する断面において遊技球を一列に整列させて前記球排出口から排出する
ことを特徴とする［１］乃至［１３］のいずれか一項に記載の遊技機島。
【００４０】
上記発明では、案内路は、搬送路の幅方向の断面において、遊技球を一列に整列させる。すなわち、搬送路の幅方向の断面において案内路の通路幅は遊技球が一列にのみ並び得る幅に設定されている。
【００４１】
［１５］前記球排出口の下縁が、前記搬送路の路面に対して段差を付けて高くされている
ことを特徴とする［１］乃至［１４］のいずれか一項に記載の遊技機島。
【００４２】
上記発明では、遊技球は、案内路の球排出口から段差を降下して搬送路の路面に排出される。該段差を設けることで、搬送路に遊技球を受け入れ可能な余裕がない場合に球排出口で待機する遊技球が搬送路の端部に接触して搬送路を劣化損傷させることや、球排出口から流出する遊技球が搬送路の端部に接触して搬送路を劣化損傷させることが防止される。
【発明の効果】
【００４３】
本発明の遊技機島によれば、計数機から排出される大量の遊技球を、動力式の回収路に過大な負荷をかけることなく円滑に合流させることができる。
【図面の簡単な説明】
【００４４】
【図１】本発明の実施の形態に係る遊技機島の概観を示す正面図である。
【図２】遊技機島の幅方向（厚み方向）断面を示す説明図である。
【図３】回収部が有する動力式の搬送路の構成を示す説明図である。
【図４】遊技機およびその正面下部前方に設けられた遊技球計数機の外観を示す斜視図である。
【図５】回収部および第１貯留部の、遊技機島の長手方向の一部分を示す斜視図である。
【図６】図５に示す回収部および第１貯留部の幅方向の断面図である。
【図７】隣接する２枚の樋カバー（同図ａ）および浮き上がって重なった状態の樋カバー(同図ｂ)および樋カバー正面（同図ｃ）を示す説明図である。
【図８】第１貯留部および回収樋における遊技球の流下経路を示す説明図である。
【図９】第１の変形例に係る遊技機島の断面図である。
【図１０】第１の変形例に係る遊技球計数機を示す斜視図である。
【図１１】第２の変形例における回収部を示す断面図である。
【図１２】第３の変形例における回収部を示す断面図である。
【図１３】第４の変形例における回収部を示す断面図である。
【発明を実施するための形態】
【００４５】
以下、図面に基づき本発明の実施の形態を説明する。
【００４６】
図１は本発明の実施の形態に係る遊技機島２の概観を示し、図２は遊技機島２の幅方向（厚み方向）断面を示している。遊技機島２は、表裏面に遊技機１０を背中合わせにした状態で（図２参照）多数並設収容している。また、これらの遊技機１０で遊技に使用される遊技球を遊技機島２の中で循環させて繰り返し使用するための各種設備機器を収容している。ここでは、遊技機１０はパチンコ機であり、遊技球はパチンコ球である。また、各遊技機１０の一方側に隣接して、その遊技機１０で遊技を行うための遊技球を遊技者に貸し出す遊技球貸機１１が設置されている。さらにそれぞれの遊技機１０の下部前方には、その遊技機で遊技を行う遊技者が保有している遊技球が投入されてこれを計数する遊技球計数機２０が設置されている。
【００４７】
遊技機島２は、所定間隔で床面に立設された複数の島柱３と、遊技機島２の長手方向に架け渡されてこれらの島柱３（３分の１程度の高さの位置）に支持された天板４や図示省略の島枠を備え、これらに各種の設備機器を取り付けて構成される。島柱３と島柱３の間に表裏２台ずつ遊技機１０（および対応する遊技球貸機１１、遊技球計数機２０）が配設されている。遊技機島２は島柱３の間隔を単位として、島の長さを増減可能に構成されている。
【００４８】
遊技機島２の一方の端部には、遊技球を貯留する貯留タンクや遊技球を揚上して研磨する揚上研磨装置を収容した島端設備部５が設けてある。また、遊技機島２の表裏に併設収容された遊技機１０の下方には、遊技機島２の長手方向に沿って延設された回収部３０が設置されている。回収部３０は、遊技機島２の島端設備部５と反対側の端部から島端設備部５内に掛けて延設設置され、各遊技機１０や遊技球計数機２０から排出された遊技球を回収して島端設備部５内の揚上研磨装置（あるいは貯留タンク）へ搬送する機能を果たす。
【００４９】
回収部３０は、図３に模式的に示すように、モータによって回転駆動される駆動プーリ３１と、従動プーリ３２と、これらに張架された環状の搬送ベルト３３とを備え、モータの動力によって駆動プーリ３１を駆動することで搬送ベルト３３を周回させて、該搬送ベルト３３上の遊技球を搬送する動力式の搬送路を含んで構成される。本例の搬送ベルト３３は、遊技球の直径の６倍程度の幅を有する平ベルの両端を接合して環状（無端）にしたものである。なお、回収部３０は、動力式なので、自然流下式のように傾斜させる必要はなく、遊技機島２の長手方向に沿って水平に延設されている。
【００５０】
図１に示すように、回収部３０の下方であって島柱３と島柱３の間は、設備等のない空間として開放されており、遊技者のレッグスペースを広く確保して、楽な姿勢で遊技を楽しむことができるように構成されている。
【００５１】
遊技機島２の上部（各遊技機１０の上方）には、島端設備部５の揚上研磨装置によって揚上研磨された遊技球を、各遊技機１０および遊技球貸機１１に向けて搬送して供給する補給樋１７（図２参照）が、島端設備部５から他端にかけて架け渡されている。補給樋１７は、回収部３０のように動力式の搬送路であってもよいし、下り勾配を利用して遊技球を搬送する自然流下式のものでもかなわない。
【００５２】
遊技機島２においては、各遊技機１０から排出された遊技球（アウト球）は、回収部３０によって回収され、揚上研磨装置で研磨されながら揚上され、揚上研磨装置から排出された研磨後の遊技球は補給樋１７を通じて再び各遊技機１０や遊技球貸機１１に補給される、といった循環経路を通じて繰り返し利用される。島端設備部５内の貯留タンクは上記循環経路で余剰となった遊技球を貯留し、また不足した場合に循環経路へ補給する役割を果たす。
【００５３】
各遊技機１０は、図２に示すように、遊技機島２の約３分の１の高さにあって遊技機島２の長手方向に延設された水平な天板４の上に載置されている。天板４は遊技機１０の正面よりさらに前方へ突出しており、遊技球計数機２０は、遊技機の正面下部前方の天板４上に取り付けられている。
【００５４】
図４は、遊技機１０および遊技機１０の正面下部前方に設けられた遊技球計数機２０の外観を示している。遊技機１０は、遊技者の発射操作によって打ち出された遊技球が移動しながら流下する遊技領域としての遊技盤１２を備えている。遊技盤１２の下方には、貸出球や賞球などの遊技球を貯留する上受け皿１３が遊技盤１２の正面から前方へ突出設置され、さらにその下方には上受け皿１３から溢れた遊技球を貯留する下受け皿１４が遊技盤１２の正面から前方へ突出設置されている。下受け皿１４の右横には、遊技球の発射操作を行うためのハンドル１５が設けてある。
【００５５】
下受け皿１４には、その底面にある落下口を開放するための操作レバー１４ａがある。該落下口はばねなどの弾性部材によって付勢されて常時は閉じている。操作レバー１４ａの操作により落下口が開放されると下受け皿１４内の遊技球は、該下受け皿１４の下方の遊技球計数機２０の遊技球投入口２１へ落下するようになっている。遊技球投入口２１は上面が開放された箱状を成している。
【００５６】
遊技球計数機２０の正面下部には、遊技球投入口２１内の遊技球を計数する際に操作される計数レバー２２が設けてある。遊技球投入口２１の底部には計数レバー２２の操作に応じて開閉する取り込み口が設けてある。取り組み口は天板４を下方へ貫通する排出路に連通しており、計数レバー２２が開放側に操作されると取り込み口が開き、該取り込み口から取り込まれた遊技球は排出路を通じて下方へ排出される。該排出路は、ここを通る遊技球を検出するセンサ２４を有し、排出路の下端（計数球排出口２３(図２参照)）から下方へ排出される遊技球の個数を該センサ２４の出力信号に基づいて計数する遊技球計数部２４として機能する。
【００５７】
図２に示すように、回収部３０は、遊技機島２の幅方向の中心において遊技機島２の長手方向に沿って水平に延設されている。回収部３０の上には、遊技球を貯留する、上面が開放され、回収部３０の幅方向断面が逆ハの字型の第１貯留部５０が設置されている。回収部３０は第１貯留部５０から遊技球を受け入れて搬送するようになっている。天板４の下方には、遊技球計数機２０の計数機排出口２３から排出された遊技球を受け止めて貯留する第２貯留部６０が設けてある。第２貯留部６０は、計数機排出口２３より遊技機島２の幅方向外側において天板４の裏面から略鉛直に下方へ延びる側壁と該側壁下端から遊技機島２の幅方向中心側に向けて下り傾斜して延びる底部とを有し、該底部の遊技機島２の幅方向中心側の端部は開放されている。
【００５８】
第１貯留部５０は第２貯留部６０の傾斜した底部の下端から流出する遊技球を受け止めて貯留するように、逆ハの字型の上端部が第２貯留部６０の底部下端と繋がるように配置されている。これにより、第２貯留部６０と第１貯留部５０は連通する。第１貯留部５０および第２貯留部６０は、回収部３０と同様に、図２に示す断面形状で遊技機島２の長手方向に延設され、長手方向の両端においては端部の開口を覆う壁部を有して遊技球が流出しないようにされている。
【００５９】
遊技機１０の背面には、アウト球を排出するためのアウト球排出管１６が設けてある。アウト球排出管１６は遊技機１０の下部背面から遊技機島２の幅方向中心に向けて突出した後、屈曲して下方に伸びており、その下端の排出口は、上面が開放された第１貯留部５０を上方から臨む位置にされている。遊技機１０から排出された遊技球（アウト球）はアウト球排出管１６を通じてその下端から第１貯留部５０内へ落下するようになっている。
【００６０】
次に、回収部３０および第１貯留部５０の構成についてより詳細に説明する。図５は、回収部３０および回収部３０上に設置された第１貯留部５０の、遊技機島２の長手方向における一部分（ユニット）を抜き出して示す斜視図であり、図６は、図５に示す回収部３０および第１貯留部５０における幅方向断面を示している。
【００６１】
回収部３０は、水平面部３４とその幅方向両端からそれぞれ鉛直下方および上方（下方より長く上方）へ延びた側壁部３５とを有して上部が開放された断面略Ｈ形状をなし且つ遊技機島２の長手方向に沿って延びる回収樋３６を有している。
【００６２】
回収樋３６の水平面部３４は、搬送ベルト３３と同幅であって搬送ベルト３３がその上面および裏面に沿って張架されるベルト支持部３４ａと、ベルト支持部３４ａの両側方にあってベルト支持部３４ａに対して段差をつけて高くされた球待機部３４ｂとを備えている。球待機部３４ｂの幅は遊技球が１個載る程度にされている。遊技球は、ベルト支持部３４ａの上面側に張架された搬送ベルト３３上に載置されて搬送され、ベルト支持部３４ａは該搬送ベルト３３をその裏面から支持する。ベルト支持部３４ａの上面側に張架された搬送ベルト３３の上面（遊技球を載せる面）を、以後、路面３３ａとも呼ぶ。球待機部３４ｂは路面３３ａより遊技球の半径程度に段差をつけて高くされており、路面３３ａ側の縁部は路面３３ａ側に向けて僅かに傾斜するようにされている。
【００６３】
また回収部３０は、路面３３ａと略同幅であって路面３３ａに対して平行に対向配置された天井部３７ａと、該天井部３７ａの幅方向両縁から鉛直上方に延設された側壁部３７ｂと、両側壁部３７ｂの上端から外側へ水平に延びる係合腕部３７ｃとを備えて構成され、両係合腕部３７ｃの端部を回収樋３６の両側壁部３５の上端に引っ掛けて載置される整列部材３７を有している。天井部３７ａは路面３３ａから遊技球１個の直径より長く２個より短い距離を隔てて路面３３ａに対向配置される。ここでは、路面３３ａと天井部３７ａとの間隔ｈ１が遊技球の直径の約１．５倍となるように設定されている。天井部３７ａの上面側には、弾性を有する衝撃吸収部材３８（たとえば、シリコンゴム板など）が、天井部３７ａの幅方向中央から端縁に向けて下り斜面を構成するように貼り付けされている。
【００６４】
整列部材３７の側壁部３７ｂには、遊技球を通すための開口部３９が設けてある。図５に示すように、開口部３９は回収樋３６の長手方向に長い矩形をなしており、回収樋３６の長手方向の全長に渡って所定間隔で複数開設されている。
【００６５】
さらに、回収樋３６の両側壁部３５の上端（詳細には、整列部材３７の係合腕部３７ｃの上）には、回収樋３６の上面を覆うようにして樋カバー４０が載置されている。
【００６６】
載置された樋カバー４０の下面と整列部材３７の天井部３７ａの上面側の衝撃吸収部材３８との間隔ｈ２は、遊技球１個の直径より長く２個分より短い距離にされている。ここでは、遊技球の直径の約１．５倍となるように設定されている。
【００６７】
樋カバー４０は、断面が逆ハの字型の第１貯留部５０の底部をなしている。なお、第１貯留部５０のうち逆ハの字型の斜面の部分にも、弾性を有する衝撃吸収部材５２（たとえば、シリコンゴム板など）が貼り付けされている。
【００６８】
第１貯留部５０の底部をなす樋カバー４０には、遊技球を１個は通すが２個は同時に通り得ない形状の球落下口４１が複数形成されている。ここでは、球落下口４１は遊技球の約１．５倍の直径の円形の開口になっている。球落下口４１は、回収樋３６の長手方向（回収部３０による遊技球の搬送方向）に沿って、近接した２列でかつ交互に並ぶように配列されている。各球落下口４１は、上記２列の中心より他方の列側へ少し進出している。また、樋カバー４０の上面は、該２列の中心に向けて僅かに下り傾斜している。樋カバー４０は、回収樋３６の長手方向の長さが約４０ｃｍの長方形の板状をなしており、これを、回収樋３６の長手方向に隣接させて複数枚並べることで（図７（ａ）参照）、回収樋３６の長手方向の全長をカバーする。
【００６９】
各樋カバー４０の両端部の下面には突起部４２が設けてある。突起部４２は、樋カバー４０が浮き上がって位置ずれし、隣り合う樋カバー４０同士が重なった場合に該重なった一方の樋カバー４０の球落下口４１と他方の樋カバー４０の突起部４２とが係合するようにその配置および形状が設定されている。ここでは、突起部４２は、下向きの直角三角形状をなしており（図７（ｃ）参照）、各列において球落下口４１の円の中心を結ぶ線分上にあり、直角な頂点が樋カバー４０の下面の長手方向の端部に位置しかつ斜辺が樋カバー４０の長手方向内側を向くように配置されている。
【００７０】
図６、図８に示すように、回収樋３６の側壁部３５の内側に沿う空間は、整列部材３７の側壁部３７ｂの開口部３９から流入する遊技球を搬送ベルト（搬送路）３３の側方から路面３３ａと天井部３７ａとの間へ案内して排出する案内路４４になっている。また、回収樋３６の側壁部３５の内面側と整列部材３７の側壁部３７ｂとの間を通路幅として回収樋３６の側壁部３５の内側に沿って下方に延びる空間は、遊技球を下方に案内する案内路の縦経路になっている。球待機部３４ｂは該縦経路の下端の底部（突き当り）をなし、球待機部３４ｂの路面３３ａ側の縁部と天井部３７ａの端縁部との間は、該縦経路の下端の側部に設けられた球排出口となっている。整列部材３７および案内路４４は、回収部３０の幅方向の断面においては、遊技球を一列に整列して搬送する通路幅になっている。この断面形状が回収部３０の長手方向に延設されている。
【００７１】
次に、遊技機１０や遊技球計数機２０から排出されて回収部３０へ流入し搬送されるまでの遊技球の流れについて説明する。
【００７２】
図２に示すように、遊技機１０の下部背面から突出したアウト球排出管１６から排出された遊技球は、アウト球排出管１６の下端から第１貯留部５０に落下して貯留される。なお、第１貯留部５０の斜面部に貼り付けられた衝撃吸収部材５２は、アウト球排出管１６から排出された遊技球を受け止め、その落下の衝撃を吸収し、騒音の発生や第１貯留部５０の底部の損傷を防止する。
【００７３】
遊技球計数機２０の計数機排出口２３から下方に排出された遊技球は、第２貯留部６０に受け止められ、該第２貯留部６０の傾斜した底面に沿って流下し、該底面の端部から第１貯留部５０に流入して貯留される。
【００７４】
図８に示すように、第１貯留部５０内の遊技球は、その斜面に沿って該第１貯留部５０の底部をなす樋カバー４０上へと流下し、さらに樋カバー４０上面の傾斜に沿って転動し、球落下口４１から樋カバー４０の下方へ落下する（Ｐ１）。
【００７５】
球落下口４１から落下した遊技球は、整列部材３７の天井部３７ａの上面の衝撃吸収部材３８に受け止められる。衝撃吸収部材３８は落下の衝撃を吸収し、騒音の発生や天井部３７ａ上面の損傷を防止する。天井部３７ａの上面と樋カバー４０の下面との間隔ｈ２に規制されることで、遊技球は、天井部３７ａの上面と樋カバー４０下面との間において積み重なることなく一層に整列される。
【００７６】
天井部３７ａの上面の衝撃吸収部材３８は、天井部３７ａの幅方向中央から天井部３７ａの端縁にむけて僅かの下り斜面になっているので、球落下口４１から落下した遊技球はこの斜面に沿って天井部３７ａ上面をその端縁に向けて転動し、整列部材３７の側壁部３７ｂの開口部３９を通じて案内路４４に流れ込む（Ｐ２）。
【００７７】
案内路４４は、回収樋３６の側壁部３５の内側に沿って下方に延びる空間を縦経路としており、開口部３９から案内路４４に流入した遊技球は該縦経路に沿って下方に流下し、下方の球待機部３４ｂに当接する（Ｐ３）。球待機部３４ｂに到達した遊技球は、進路を路面３３ａ側に向かうように変更し、搬送ベルト３３の側方から路面３３ａ上へ段差を降りるようにして合流する（Ｐ４）。
【００７８】
搬送ベルト３３における遊技球の搬送・合流においては、既に搬送ベルト３３上を搬送されている遊技球が優先的に搬送され、搬送ベルト３３上の遊技球を受け入れる空間的余裕があるときのみ案内路４４から遊技球が合流する。
【００７９】
すなわち、搬送ベルト３３の路面３３ａに対向して天井部３７ａが配設されているので、搬送ベルト３３上に載置される遊技球は路面３３ａと天井部３７ａとの間の空間に入り得る個数に制限される。ここでは、路面３３ａと天井部３７ａとの間隔ｈ１は遊技球の直径の１．５倍程度にされているため、遊技球は搬送ベルト３３上に積み重なることなく一層に整列されて搬送される。
【００８０】
また、案内路４４は、路面３３ａと天井部３７ａとの間に搬送ベルト３３の側方から遊技球を流出して合流させるので、既に搬送ベルト３３上に遊技球が隙間なく存在する場合には、球待機部３４ｂにある遊技球は搬送ベルト３３上へ流出することはできない。したがって、搬送ベルト３３上の遊技球が優先的に搬送される。
【００８１】
一方、搬送ベルト３３上に空間的余裕がある場合は、球待機部３４ｂにある遊技球が搬送ベルト３３上へ流出して合流する。また、球待機部３４ｂは段差をつけて路面３３ａより僅かに高くされ、しかも端部が路面３３ａ側へ僅かに傾斜しているので、搬送ベルト３３上に余裕が生じた場合は球待機部３４ｂから路面３３ａへ遊技球がスムースに流出して合流する。
【００８２】
遊技球計数機２０から大量の遊技球が流入した場合には、やがて搬送ベルト３３上は満杯になってそれ以上遊技球が合流できなくなり、案内路４４内や整列部材３７上（天井部３７ａの上面と樋カバー４０の下面との間）、さらには第１貯留部５０や第２貯留部６０に遊技球が停留するようになる。このような場合でも、その大量の遊技球によって過大な負荷が搬送ベルト３３に加わることはなく、搬送ベルト３３は遊技球の搬送を継続することができる。
【００８３】
すなわち、樋カバー４０の球落下口４１を通じて遊技球を落下させるため、第１貯留部５０や第２貯留部６０にある大量の遊技球の荷重のうち球落下口４１より下流側に加わる荷重は、該球落下口４１を通じて加わる荷重のみに制限される。たとえば、球落下口４１の上に３個の遊技球が積み重なっている場合、その３個の荷重のみが球落下口４１を通じて下方へ加わることになる。球落下口４１を通じて加わる荷重は、天井部３７ａの上面の衝撃吸収部材３８の傾斜に応じて、下向きの力と開口部３９の方向へ向かう力に分散される。球落下口４１を通じて加わる荷重の大半は天井部３７ａの上面の衝撃吸収部材３８に加わる下向きの力であり、開口部３９へ向かう力は少ない。
【００８４】
さらに、遊技球の進路は開口部３９を通った後に案内路４４の縦経路に沿って下方となるため、縦経路の底部をなす球待機部３４ｂに上方から加わる荷重は、案内路４４内において縦方向に積み重なった数個の遊技球の荷重にほぼ等しくなり、第１貯留部５０や第２貯留部６０にあった遊技球の荷重による圧力はほとんど受けない。さらに案内路４４の縦経路に積み重なる遊技球の荷重の大半は球待機部３４ｂが受け止めており、路面３３ａへ進出する方向に作用する力は僅かである。したがって、大量の遊技球が第１貯留部５０や第２貯留部６０に貯留されている状態であっても搬送ベルト３３は円滑な搬送を継続することができる。
【００８５】
換言すれば、貯留されている遊技球による圧力等の負荷が、搬送ベルト３３や搬送ベルト３３上を搬送される遊技球に対してほとんど作用しないため、計数機排出口２３と案内路４４との間に遊技球を大量に貯留する第１貯留部５０や第２貯留部６０を設けることができる。その結果、遊技球計数機２０から遊技球が大量に排出されても、遊技球を貯留しきれなくなることがなくなり、遊技球計数機２０による遊技球の円滑な計数・排出が確保される。これにより、排出が停滞することによって遊技球計数機２０での遊技球の計数に長い時間を要してしまう、といった事態が防止される。また、遊技球計数機２０の遊技球投入口２１から遊技球が溢れることや遊技球計数機２０内での遊技球の詰まりを防ぐことができる。
【００８６】
また、搬送ベルト３３上に空間的余裕が生じれば、次々と案内路４４の球待機部３４ｂから搬送ベルト３３上に遊技球が流出して合流するので、最大能力での搬送が継続される。さらに、遊技球計数機２０等から排出された遊技球の勢いは、上記した樋カバー４０や整列部材３７、案内路４４などを経ることにより、搬送ベルト３３によって搬送される遊技球との合流地点においては十分に弱化されるので、合流地点で勢い良く遊技球が衝突して騒音が発生することも防止される。
【００８７】
本実施の形態では、第１貯留部５０や第２貯留部６０、回収部３０は、図２や図８に示す断面形状にて回収部３０の長手方向に延設されているので、第１貯留部５０、第２貯留部６０は大容量の貯留タンクとなっている。また、第１貯留部５０、第２貯留部６０は遊技機島２の長手方向に沿って回収部３０のほぼ全長にわたって延設されているので、遊技機島の長手方向のどの位置に配置された遊技機１０や遊技球計数機２０からでも、排出される遊技球をその排出箇所の直近で受け止めて回収することができる。
【００８８】
また、球待機部３４ｂは、路面３３ａよりも段差を設けて高くされているので、遊技球を搬送ベルト３３の端部に接触させないで球待機部３４ｂにて待機させることができる。さらに、遊技球が段差を降りる際に、該段差のすぐ横の下方にある搬送ベルト３３の端部を飛び越えて落下するので、搬送ベルト３３の端部に遊技球を接触させないで合流させることができ、搬送ベルト３３端部の劣化損傷を防ぐことができる。また、球待機部３４ｂは路面３３ａ側の端部が僅かに下り傾斜しているので、球待機部３４ｂから路面３３ａへ遊技球がスムースに流出し、合流時の遊技球の詰まり等を防ぐことができる。
【００８９】
また、図５、図８などに示すように、樋カバー４０は、遊技球１個は通すが２個は通さない球落下口４１を有し、この球落下口４１を通じて天井部３７ａの上面へ遊技球を落下させるので、球落下口４１よりおおきなゴミ等を除去するフィルタ部材としての機能を果たす。たとえば、遊技球より大きい会員カードなどが、樋カバー４０より下流側に混入することが防止される。
【００９０】
また、一方の列において隣り合う球落下口４１同士の間を遊技球が通過して遊技球が落下しなかった場合でも、その遊技球の進路上の対面側に他方の列の球落下口４１が設けてあるので、遊技球を確実に落下させることができる。特に、２列で交互に並べて球落下口４１を配置する際に、該２列の中央を越えるように各球落下口４１を配置してあるので、２列の中央に向けて下り傾斜した樋カバー４０の上面に沿って一方の列の球落下口４１と球落下口４１との間を通過した遊技球はその勢いを失う前に他方の列の球落下口４１に到達して落下するようになり、より円滑な落下が確保される。
【００９１】
樋カバー４０の球落下口４１を、樋カバー４０の幅方向の中心近傍に設けているので、遊技球が落下しない部分（第１貯留部５０の底部として遊技球を保持する部分）を広くとることができ、遊技球をより多く貯留することができる。
【００９２】
ところで、天井部３７ａの上面と樋カバー４０との間に大量の遊技球が入り込むことによって、樋カバー４０が上方に持ち上がり、搬送ベルト３３の搬送方向に沿ってこの持ち上がった樋カバー４０が搬送方向に運ばれてしまうといった現象が発生し得る。このような現象が発生した場合でも、樋カバー４０の端部裏面に突起部４２を設けてあるので、図７（ｂ）に示すように、該突起部４２が隣の樋カバー４０の球落下口４１に嵌り込むようになり、該浮き上がった樋カバー４０が隣の樋カバー４０に引っ掛かる。これにより、浮き上がった樋カバー４０がそのままさらに姿勢を崩して整列部材３７の中に落ちてしまう、あるいは搬送方向にそのまま運ばれてしまう、といった事態が防止され、ひいては樋カバー４０の不在による遊技球の詰まりを防ぐことができる。
【００９３】
また、整列部材３７は、係合腕部３７ｃを備え、両係合腕部３７ｃの端部を回収樋３６の両側壁部３５の上端に引っ掛けるだけで載置され、樋カバー４０は、回収樋３６の長手方向に複数並べて載置され、突起部４２と球落下口４１により、球の滞留で樋カバー４０が流されて位置ずれすることが防止される。このように、整列部材３７や樋カバー４０は、施工時にネジ止め等の面倒な作業が必要ないし、搬送ベルト３３や回収樋３６の点検／破損時の交換が容易になるので、施工／メンテナンス時の効率が向上する。
【００９４】
＜第１の変形例＞
上述の例は、遊技球計数機２０で計数された遊技球を、天板４を通じて下方に排出し、第２貯留部６０で受け止めるタイプの遊技機島２であったが、遊技球計数機２０から排出された遊技球を別の経路で回収部３０へ導く構成でもよい。図９は、その一例として第１の変形例に係る遊技機島２Ｂを示している。図１０は、遊技機島２Ｂに設置された遊技機１０の下部および遊技球計数機２０Ｂを示している。
【００９５】
図９の遊技機島２Ｂはおいては、遊技球計数機２０Ｂの側面から遊技機１０の前面下部に沿って天板４上を遊技球貸機１１側へ延出され（図１０参照）、遊技球貸機１１の前で屈曲して該遊技球貸機１１の下部を通り抜けて背面へ突出し、その先端部に下向きの排出口を有する計数機排出管７１が設置されている。該計数機排出管７１は、ここを通る遊技球を検出するセンサ２４を有し、該計数機排出管７１から下方へ排出される遊技球の個数を該センサ２４の出力信号に基づいて計数する遊技球計数部２４として機能する。遊技機島２Ｂでは、図９に示すように、第２貯留部６０は設けない。その分、第１貯留部５０および回収部３０の設置位置は高められ、第１貯留部５０の上端が天板４の上面とほぼ同一高さとなるようにされている。計数機排出管７１およびアウト球排出管１６から排出される遊技球は第１貯留部５０の上に落下するようになっている。その他の構成は図１から図８に示すものと同一である。
【００９６】
遊技機島２Ｂにおいては、第２貯留部６０を設けない分だけ、回収部３０を高く設置でき、回収部３０より下方の空間を増やして、遊技者のレッグスペースをより広くすることができる。
【００９７】
＜第２の変形例＞
図１１は、図６、図７に示す回収部３０の第２の変形例としての回収部３０Ｃを示している。図６、図７に示すものでは、回収樋３６の側壁部３５の内側に沿った空間を案内路４４としていたが、図１１に示す第２の変形例に係る回収部３０Ｃでは、回収樋３６の側壁部３５の外側に沿って案内路４４Ｃを設けてある。天井部３７ａは回収樋３６の全幅にわたって設けられ、回収樋３６の側壁部３５に開口部３９が開口され、開口部３９から遊技球が案内路４４Ｃへ流入するようになっている。
【００９８】
案内路４４Ｃは回収樋３６の側壁部３５の外側に沿った縦経路をなしている。路面３３ａと天井部３７ａとの間を臨むように回収樋３６の側壁部３５に開口が設けてあり、該開口は縦経路を成す案内路４４Ｃの球排出口となっている。このように案内路４４Ｃは回収樋３６の外側に設けられる構成にされてもよい。
【００９９】
＜第３の変形例＞
図１２は、図６、図７に示す回収部３０の第３の変形例に係る回収部３０Ｄを示している。図１２に示すように、回収樋３６の側壁を利用することなく、回収樋３６とは別に案内路４４Ｄが設けられる構成でもかまわない。すなわち、路面３３ａと天井部３７ａとの間に搬送ベルト３３の側方から遊技球を排出すれば、図１２に示すような構成の案内路４４Ｄであってもかまわない。図１２では、案内路４４Ｄの上流側に貯留部や球落下口４１などが配置される。上流の貯留部に大量の遊技球が貯留されていても、その荷重は搬送ベルト３３に対して上方から加わることなく、搬送されている遊技球に対して側方から加わる。また、搬送ベルト３３に対向する天井部３７ａの存在により、搬送ベルト３３上に載置される遊技球の個数は制限される。したがって、側方からの力が加わっても、搬送ベルト３３に既に遊技球があってこれ以上遊技球を受け入れる空間的余裕がない場合には、案内路４４Ｄから遊技球が合流することはない。また、合流する遊技球からの力は搬送ベルト３３に載置されている遊技球に対して側方から加わるので、搬送ベルト３３に加わる負荷は小さく、搬送を妨げない。
【０１００】
＜第４の変形例＞
図１３は、図６、図７に示す回収部３０の第４の変形例に係る回収部３０Ｅを示している。回収部３０Ｅは、回収部３０に比べて、樋カバー４０が存在しない構成となっている。天井部３７ａの上面は、第１貯留部５０の底部をなし、天井部３７ａの端部に開口部３９が設けられている。案内路４４は該開口部３９から遊技球を受け入れ、搬送ベルト３３と天井部３７ａとの間の搬送空間に搬送ベルト３３の側方から遊技球を排出する。このように球落下口４１を有する樋カバー４０を設けない構成においても、遊技球は案内路４４を通じて搬送ベルト３３の側方から路面３３ａ上へ合流されるので、第１貯留部５０に大量の遊技球が貯留されても、その荷重によって過大な負荷が搬送ベルト３３に加わることはなく、搬送ベルト３３による遊技球の搬送動作が確保される。
【０１０１】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０２】
たとえば、樋カバー４０の突起部４２は実施の形態で示した形状に限定されず、球落下口４１に係合可能な形状であればよい。また突起部４２は、樋カバー４０の下面に設ける場合に限られるものではなく、樋カバー４０の上面側に上方へ突起するように設けられてもよいし、上下の双方に設けられてもよい。
【０１０３】
実施の形態では、路面３３ａの両側方から遊技球を合流させる構成を示したが、一方側からのみ合流させる構成でもかまわない。この場合、路面３３ａの合流のない側には、遊技球が側方へ流出しないように側壁が設けられる。たとえば、図６、図８の構成に対して、一方側の開口部３９を設けず、また開口部３９を設けない側の側壁部３７ｂを水平面部３４まで下方に延設するような構成でもよい。さらに、貯留部５０、６０や案内路４４を回収樋３６の長手方向の全長に設けるようにしたが、一部の区間のみに設けるようにされてもよい。この場合、路面３３ａの両側に上記のように側壁を設け、案内路４４の球排出口となる部分において該側壁に開口を設けるように構成すればよい。
【０１０４】
実施の形態では、遊技球計数機２０を各遊技機１０に設ける構成を示したが、遊技機島２の所定箇所にのみ設けられる構成にされてもよい。たとえば、遊技機島２において島端設備部５と反対側の端部あるいは、長手方向の途中の所定箇所に設けられてもかまわない。
【０１０５】
第１貯留部５０や第２貯留部６０の設置箇所は、遊技球計数機２０の排出口から案内路４４の入口までの間のいずれかの箇所に設けられればよく、実施の形態で示した配置に限定されるものではない。
【０１０６】
回収部３０は、動力により遊技球を搬送する方式の搬送路を用いたものであればよく、搬送ベルト３３を周回させるベルトコンベア方式に限定されるものではない。たとえば、回収部３０の幅方向に回転軸を有して回転駆動される多数ローラを回収部３０の長手方向に併設して路面を構成するような搬送路であってもかまわない。また、回収部３０の搬送路は水平に設置されるものに限定されない。動力式であれば、その動力による搬送を補助する等のために、搬送方向側へ下り傾斜したものでもかまわない。
【０１０７】
実施の形態では、図６、図８等の断面において一列に遊技球が整列されるように、樋カバー４０と天井部３７ａの上面との間隔、天井部３７ａの下面と路面３３ａとの間隔、天井部３７ａの端縁から回収樋３６の側壁部３５までの間隔（案内路４４の通路幅）などを設定してあるが、これらの間隔のうちの少なくとも１つを、たとえば、遊技球を２列等の複数列に整列させる間隔にしてもよい。
【０１０８】
実施の形態では、遊技機１０をパチンコ機、遊技球をパチンコ球としたが、遊技球を使用する遊技機であれば、他の種類の遊技機であってもかまわない。
【０１０９】
実施の形態では整列部材３７や樋カバー４０を回収樋３６の両側壁部３５の上端に載置するようにしたが、螺子や係合ピンなどで回収樋３６に固定するように構成してもよい。樋カバー４０を固定的に取り付ける場合には突起部４２は設けなくてもよい。
【０１１０】
実施の形態では樋カバー４０に球落下口４１を２列かつ交互に配列するようにしたが、球落下口４１の配列はこれに限定されるものではない。たとえば、樋カバー４０の幅方向の中央などに１列のみ配置するようにしてもよい。また、樋カバー４０の上面を、その幅方向中央から端部側に向けてかけて下り傾斜するようにし、樋カバー４０の幅方向の端部近傍に球落下口４１を配列するように構成してもよい。
【符号の説明】
【０１１１】
２、２Ｂ…遊技機島
３…島柱
４…天板
５…島端設備部
１０…遊技機
１１…遊技球貸機
１２…遊技盤
１３…上受け皿
１４…下受け皿
１４ａ…操作レバー
１５…ハンドル
１６…アウト球排出管
１７…補給樋
２０、２０Ｂ…遊技球計数機
２１…遊技球投入口
２２…計数レバー
２３…計数機排出口
２４…遊技球計数部（センサ）
３０、３０Ｃ、３０Ｄ、３０Ｅ…回収部
３１…駆動プーリ
３２…従動プーリ
３３…搬送ベルト
３３ａ…路面
３４…水平面部
３４ａ…ベルト支持部
３４ｂ…球待機部
３５…側壁部
３６…回収樋
３７…整列部材
３７ａ…天井部
３７ｂ…側壁部
３７ｃ…係合腕部
３８…衝撃吸収部材
３９…開口部
４０…樋カバー
４１…球落下口
４２…突起部
４４、４４Ｃ、４４Ｄ…案内路
５０…第１貯留部
５２…衝撃吸収部材
６０…第２貯留部
７１…計数機排出管
【図１】
2011067322.tif 000003
【図２】
2011067322.tif 000004
【図３】
2011067322.tif 000005
【図４】
2011067322.tif 000006
【図５】
2011067322.tif 000007
【図６】
2011067322.tif 000008
【図７】
2011067322.tif 000009
【図８】
2011067322.tif 000010
【図９】
2011067322.tif 000011
【図１０】
2011067322.tif 000012
【図１１】
2011067322.tif 000013
【図１２】
2011067322.tif 000014
【図１３】
2011067322.tif 000015